(57)【特許請求の範囲】
【請求項１】
紫外線ランプ（３）と、該紫外線ランプ（３）から照射される紫外線を外部に対して遮断又は開放する開閉自在の遮光扉（２ａ，２ｂ，２ｃ）と、該遮光扉（２ａ，２ｂ，２ｃ）が閉の状態で吸入口（９）から外気を吸い込んで前記紫外線ランプ（３）の周囲を通過させて吹出口（６）から吹き出す送風ファン（８）が設けられた基台（４）とを備え、
前記遮光扉（２ａ，２ｂ，２ｃ）は前記紫外線ランプ（３）が装着された３枚の板状の扉であり、中央の遮光扉（２ａ）が前記基台（４）に固定され、該中央の遮光扉（２ａ）の両側縁に他の遮光扉（２ｂ，２ｃ）が回動自在に軸支され、前記遮光扉（２ａ，２ｂ，２ｃ）を閉じるときは連結された遮光扉（２ｂ，２ｃ）の前記中央の遮光扉（２ａ）に軸支されていない側の両側縁部を当接させて該連結された遮光扉（２ａ，２ｂ，２ｃ）に囲まれる空間に前記紫外線ランプ（３）を収納し、
前記遮光扉（２ａ，２ｂ，２ｃ）を開くときは連結された遮光扉（２ｂ，２ｃ）の前記中央の遮光扉（２ａ）に軸支されていない側の両側縁部を離反させると共に遮光扉（２ｂ，２ｃ）を回動させて前記紫外線ランプを外部に露出させるものであることを特徴とする紫外線殺菌装置。
【請求項２】
前記紫外線ランプ（３）が外側になるように前記中央の遮光扉（２ａ）に軸支された遮光扉（２ｂ，２ｃ）の軸支されていない側の両側縁部を当接させて該遮光扉（２ａ，２ｂ，２ｃ）を開いたときに、連結された遮光扉（２ａ，２ｂ，２ｃ）に囲まれる空間に前記紫外線ランプ（３）と前記送風ファン（８）とに電源を供給する電源ユニット（１３）を配設したことを特徴とする請求項１に記載の紫外線殺菌装置。
【発明の詳細な説明】
【０００１】
【発明の属する技術の分野】
本発明は、紫外線の照射により室内等の殺菌を行う紫外線殺菌装置に関する。
【０００２】
【従来の技術】
従来の紫外線殺菌装置は、紫外線ランプを照射して室内の壁や室内の空気を殺菌するものである。この紫外線殺菌装置としては、紫外線を室内の壁等に照射するタイプと、筒状体の内部に紫外線を照射し該筒状体の内部に室内の空気を通過させて室内の空気の殺菌を行うタイプとがある。
【０００３】
しかしながら、紫外線を室内の壁等に照射するタイプでは、紫外線が直接人に照射されると有害であるので、装置の作動中は人がその室内に立ち入ることができない。また、室内に人がいるときは、その人のいる方向への照射を制限する必要があった。
【０００４】
一方、筒状体の内部に紫外線を照射し、該筒状体の内部に室内の空気を通過させ、室内の空気の殺菌を行うタイプでは、空気中の浮遊菌は殺菌できるが、壁面、天井及び床に付着した菌を殺菌することができないという不都合があった。
【０００５】
【発明が解決しようとする課題】
本発明は、紫外線殺菌装置の改良を目的とし、さらに詳しくは前記不都合を解消するために、殺菌を行う部屋に人がいる場合といない場合とに応じて使い分けをすることができる紫外線殺菌装置を提供することを目的とする。
【０００６】
【課題を解決するための手段】
前記目的を達成するために、本発明の紫外線殺菌装置は、紫外線ランプ（３）と、該紫外線ランプ（３）から照射される紫外線を外部に対して遮断又は開放する開閉自在の遮光扉（２ａ，２ｂ，２ｃ）と、該遮光扉（２ａ，２ｂ，２ｃ）が閉の状態で吸入口（９）から外気を吸い込んで前記紫外線ランプ（３）の周囲を通過させて吹出口（６）から吹き出す送風ファン（８）が設けられた基台（４）とを備え、
前記遮光扉（２ａ，２ｂ，２ｃ）は前記紫外線ランプ（３）が装着された３枚の板状の扉であり、中央の遮光扉（２ａ）が前記基台（４）に固定され、該中央の遮光扉（２ａ）の両側縁に他の遮光扉（２ｂ，２ｃ）が回動自在に軸支され、前記遮光扉（２ａ，２ｂ，２ｃ）を閉じるときは連結された遮光扉（２ｂ，２ｃ）の前記中央の遮光扉（２ａ）に軸支されていない側の両側縁部を当接させて該連結された遮光扉（２ａ，２ｂ，２ｃ）に囲まれる空間に前記紫外線ランプ（３）を収納し、
前記遮光扉（２ａ，２ｂ，２ｃ）を開くときは連結された遮光扉（２ｂ，２ｃ）の前記中央の遮光扉（２ａ）に軸支されていない側の両側縁部を離反させると共に遮光扉（２ｂ，２ｃ）を回動させて前記紫外線ランプを外部に露出させるものであることを特徴とする。
【０００７】
本発明の紫外線殺菌装置によれば、殺菌を行う場所に人がいない場合は、前記遮光扉を開けて紫外線ランプから紫外線を照射させる。これにより、該紫外線殺菌装置の外部に紫外線が照射されるので、その周囲の壁や天井に付着した菌や、その周囲の空気中の浮遊菌を殺菌することができる。
【０００８】
一方、殺菌を行う場所に人がいる場合は、前記遮光扉を閉じて使用する。このとき、前記送風ファンにより前記吸入口から前記紫外線ランプの周囲に空気が送られ、この空気が前記紫外線により殺菌されて前記吹出口から外部に吹き出される。これにより、殺菌を行う場所の空気中の浮遊菌が殺菌されると共に、前記紫外線が前記遮光扉に遮断されて外部に漏れることがないので、殺菌を行う場所に人がいる場合であっても、殺菌を行うことができる。
【０００９】
本発明の紫外線殺菌装置においては、前記遮光扉を開いたときは、該遮光扉が回動されて前記紫外線ランプが外側に向けられるので、該紫外線ランプが外側に露出するため紫外線が遮られることがない。このため、広い範囲でむらなく殺菌を行うことができる。
【００１０】
また、本発明の紫外線殺菌装置においては、前記遮光扉を閉じることにより該遮光扉に囲まれた空間を形成することができるので、該空間に前記紫外線ランプを収納することができると共に、前記紫外線ランプを点灯した状態で前記空間に空気を通すことにより空気の殺菌を行うことができる。また、前記遮光扉を開いたときは前記紫外線ランプが外部に露出するので、周囲の壁や天井等の殺菌を行うことができる。このとき、前記遮光扉の開度を調節することにより、紫外線が照射される範囲を調節することができるので、例えば、人がいる部屋で人がいない方向に向けて紫外線を照射することもできる。
【００１１】
また、本発明の紫外線殺菌装置においては、前記紫外線ランプ（３）が外側になるように前記中央の遮光扉（２ａ）に軸支された遮光扉（２ｂ，２ｃ）の軸支されていない側の両側縁部を当接させて該遮光扉（２ａ，２ｂ，２ｃ）を開いたときに、連結された遮光扉（２ａ，２ｂ，２ｃ）に囲まれる空間に前記紫外線ランプ（３）と前記送風ファン（８）とに電源を供給する電源ユニット（１３）を配設することが好ましい。
前記電源ユニットは電源トランス等を含むため、これを収納するにはある程度の空間が必要となる。ここで、前記複数の遮光扉を前記紫外線ランプが外側になるように開いたときは、前記遮光扉の前記紫外線ランプが装着されていない面で囲まれる空間が生じる。従って、該空間に前記電源ユニットを配設することにより、該空間を有効活用することができるため、装置の小型化を図ることができる。
【００１２】
【発明の実施の形態】
次に、本発明の紫外線殺菌装置の実施形態の一例について、図１乃至図４を参照して説明する。図１は本発明の紫外線殺菌装置の一例において遮光扉を少し開けた状態を示す説明図、図２は遮光扉を閉めた状態を示す側面図、図３は遮光扉を完全に開けた状態を示す平面図、図４は遮光扉を閉じた状態を示す平面図である。
【００１３】
本実施形態の紫外線殺菌装置１は、図１に示すように、３枚の板状の遮光扉２ａ〜２ｃと、この遮光扉２ａ〜２ｃの内側面に装着された紫外線ランプ３と、中央の遮光扉２ａが固定されている基台４と、中央の遮光扉２ａの裏面側に配設されている本体ケース５とを備えている。
【００１４】
遮光扉２ａ〜２ｃは、その内側面にステンレス製の反射板が設けられており、この反射板の表面に紫外線ランプ３が２本並列に取り付けられている。また、遮光扉２ａ〜２ｃの上面部は略二等辺三角形に形成され、後述する送風ファン８によって送られてくる空気を外部に吹き出す吹出口６が設けられている。この吹出口６は、紫外線ランプ３から照射される紫外線を遮断して外部に紫外線が漏れないように形成されている。また、遮光扉２ａ〜２ｃのうち、中央の遮光扉２ａが基台４から上方に延設された略逆Ｕ字状のフレーム７に固定されている。また、左右の遮光扉２ｂ，２ｃは、その一方の側縁がフレーム７によって中央の遮光扉２ａの両側縁に回動自在に軸支されている。このフレーム７の上部は、紫外線殺菌装置１を移動させる際に把持するためのハンドルとなっている。
【００１５】
基台４は、図１に示すように、中央の遮光扉２ａの内側面側に送風ファン８が設けられており、この送風ファン８の下面には外気を吸入する吸入口９が設けられている。本実施形態においては、吸入口９と送風ファン８との間にオゾンを発生させるオゾン発生装置（図示せず）が設けられている。また、中央の遮光扉２ａの外側面側には本体ケース５が配設されている。そして、基台４の下方には、紫外線殺菌装置１を移動自在にするためのキャスター１０が設けられている。また、基台４には、図４に示すように遮光扉２ｂ，２ｃが開いた状態で遮光扉２ｂ，２ｃに押されてＯＮになる扉開検出スイッチ１１と、図３に示すように遮光扉２ｂ，２ｃが閉じた状態で遮光扉２ｂ，２ｃに押されてＯＮになる扉閉検出スイッチ１２とが設けられている。
【００１６】
本体ケース５は、図３に示すように左右の遮光扉２ｂ，２ｃが紫外線ランプ３を外側にして開いた状態で、遮光扉２ａ〜２ｃが略三角柱状となったときに、この略三角柱状の遮光扉２ａ〜２ｃの内部に収納されるように平面視で略台形に形成されている。また、図２に示すように、本体ケース５の内部には、紫外線ランプ３、送風ファン８及びオゾン発生装置に電源を供給するための電源ユニット１３が収納されている。また、本体ケース５の上面には、紫外線殺菌装置１の運転状況を設定する操作パネル１４が設けられており、図２に示すように、本体ケース５の内部に紫外線殺菌装置１の運転状況を制御するコントローラ１５が収納されている。
【００１７】
次に、本実施形態の紫外線殺菌装置１の使用状態について、図３及び図４を参照して説明する。
【００１８】
まず、人がいない状態の部屋を殺菌する場合について説明する。人がいない場所で本実施形態の紫外線殺菌装置１を使用する場合は、左右の遮光扉２ｂ，２ｃを左右に開いて紫外線ランプ３が外側になるように設置する。遮光扉２ｂ，２ｃが完全に折り返されると、扉開検出スイッチ１１がＯＮになり、遮光扉２ｂ，２ｃが完全に開けられたことがコントローラ１５により検出される。本実施形態では、扉開検出スイッチ１１が２箇所ともＯＮになった状態で紫外線ランプ３が点灯が可能となるように形成されている。
【００１９】
このように、遮光扉２ａ〜２ｃが開かれた状態で操作パネル１４の運転スイッチ（図示せず）をＯＮにすると、運転開始タイマが作動して５分後に紫外線ランプ３に通電される。紫外線ランプ３に通電されると、紫外線ランプ３から紫外線が照射され、この紫外線が照射された室内の壁や天井に付着した菌が殺菌される。また、室内の空気中に浮遊している浮遊菌も殺菌される。
【００２０】
次に、人がいる部屋で本実施形態の紫外線殺菌装置１を使用する場合について説明する。人がいる部屋では、紫外線を外部に照射することができないので、遮光扉２ａ〜２ｃを閉じた状態で使用する。まず、図４に示すように、左右の遮光扉２ｂ，２ｃを紫外線ランプ３が内側になるように閉じて、遮光扉２ａ〜２ｃを略三角柱状にすると、扉閉検出スイッチ１２がＯＮになり、遮光扉２ｂ，２ｃが完全に閉じられたことがコントローラ１５により検出される。本実施形態では、扉閉検出スイッチ１２が２箇所ともＯＮになった状態で紫外線ランプ３が点灯が可能となるように形成されている。
【００２１】
このように、遮光扉２ａ〜２ｃが閉じられた状態で操作パネル１４の運転スイッチをＯＮにすると、紫外線ランプ３と送風ファン８とが作動を開始する。送風ファン８が作動すると、吸入口９から外気が吸入され、略三角柱状に組み合わされた遮光扉２ａ〜２ｃの内部を通過して吹出口６から外部に吹き出される。このとき、紫外線ランプ３から照射される紫外線によって、遮光扉２ａ〜２ｃの内部を通過する空気が殺菌されるため、室内の空気中に浮遊している浮遊菌が殺菌される。また、本実施形態では、オゾン発生装置（図示せず）を併用しているので、室内の空気の殺菌のみならず、消臭も行うことができる。
【００２２】
尚、上記実施形態においては、遮光扉２ａ〜２ｃを完全に開いた状態か完全に閉じた状態でのみ紫外線ランプ３に通電するようにしているが、これに限らず、遮光扉２ａ〜２ｃの一方のみを開けて他方を閉じた状態で使用できるようにしてもよい。このようにすることにより、例えば、人がいる部屋であっても、人がいない方向へ紫外線を照射してその方向の壁や天井を殺菌することができる。
【００２３】
また、上記実施形態においては、３枚の遮光扉２ａと２ｂ及び２ａと２ｃとを回動自在に連結して左右の遮光扉２ｂ，２ｃを回動させることにより遮光扉２ａ〜２ｃを開閉しているが、これに限らず、例えば遮光扉２ａと２ｂ及び２ｂと２ｃとを連結してもよい。また、各遮光扉自体を基台４上で１８０゜回動できるように形成してもよい。また、紫外線ランプ３を基台４に設置し、紫外線ランプが装着されていない遮光扉を開閉することにより、紫外線の照射を遮断又は開放してもよい。
【００２４】
さらに、上記実施形態では、遮光扉２ａ〜２ｃを３枚にしているが、これに限らず、２枚、４枚或いはそれ以上の枚数としてもよい。例えば、上記実施形態における中央の遮光扉２ａを除いて本体ケース５の背面に紫外線ランプ３を設け、遮光扉を左右の遮光扉２ｂ，２ｃのみの２枚としてもよい。このように、複数の遮光扉の各側縁を回動自在に連結する場合は直接各遮光扉を連結してもよく、例えば本体ケース５のような連結部材を介して連結してもよい。
【図面の簡単な説明】
【図１】本発明の紫外線殺菌装置の一例において遮光扉を少し開けた状態を示す説明図。
【図２】遮光扉を閉めた状態を示す側面図。
【図３】遮光扉を完全に開けた状態を示す平面図。
【図４】遮光扉を閉じた状態を示す平面図。
【符号の説明】
１…紫外線殺菌装置、２…遮光扉、３…紫外線ランプ、６…吹出口、８…送風ファン、９…吸入口。
【図１】
0004574799.tif 000002
【図２】
0004574799.tif 000003
【図３】
0004574799.tif 000004
【図４】
0004574799.tif 000005